(57)【要約】【課題】  画像読取装置の読取載置台において、塵埃の侵入を防止する手段を提供する。【解決手段】  本画像読取装置１は、収納部２５ａ及び操作パネル部２５ｂを構成する底板２６０及び側壁２６１が一体的に形成されたボトムシャーシ２６に、収納部２５ａと操作パネル部２５ｂとの境界に沿って防塵壁下部２６２が形成され、収納部２５ａを封止する読取載置台カバー２７に、防塵壁下部２６２と継合する防塵壁上部２７２と、操作パネル部２５ｂ側の端部２７ａに沿って下方へ突設された凸条２７３とが形成され、操作パネル部２５ｂを封止する操作パネルカバー２８に、収納部２５ａ側の端部２８ａに沿って前記凸条２７３と嵌合する凹条２８３が形成されたものである。【選択図】  図３
2005057534.tif 000002
【特許請求の範囲】
【請求項１】
プラテンガラスが配設される上面開口部と、該プラテンガラスを通じて画像読取りを行う画像読取手段が収納される収納部と、操作パネル部とを有する読取載置台ケーシングを具備してなる画像読取装置において、
前記読取載置台ケーシングは、収納部及び操作パネル部を構成する底板及び側壁が一体的に形成されたボトムシャーシと、収納部を封止する読取載置台カバーと、操作パネル部を封止する操作パネルカバーとを備えてなり、収納部と操作パネル部との境界に沿って防塵壁が形成され、前記読取載置台カバーの操作パネル部側の端部に沿って下方へ突設された凸条とが形成され、前記操作パネルカバーの収納部側の端部に沿って前記凸条と嵌合する凹条が形成されたことを特徴とする画像読取装置。
【請求項２】
前記防塵壁は、前記ボトムシャーシの底板の収納部と操作パネル部との境界に沿って立設された防塵壁下部と、前記読取載置台カバーから下方へ突設された防塵壁上部とが継合することにより形成されたものであることを特徴とする請求項１記載の画像読取装置。
【請求項３】
前記読取載置台カバーの防塵壁上部と凸条との間に、読取載置台カバーの天板から防塵壁上部及び凸条の下端より下方にまで至る垂壁が、該防塵壁上部及び凸条に沿って形成されたことを特徴とする請求項２記載の画像読取装置。
【発明の詳細な説明】
【技術分野】
【０００１】
本発明は、スキャナ、ファクシミリ、複写機等の画像読取装置に関する。
【背景技術】
【０００２】
スキャナ、ファクシミリ、複写機等の画像読取装置では、一般に、読取載置台に載置された原稿に対して画像読取手段を走査して該原稿の画像を読み取るようになっている。例えば、従来の画像読取装置９００では、図７に示すように、読み取るべき原稿を載置するプラテンガラスが配設された読取載置台９０１に、該原稿をプラテンガラス上に押圧して固定する原稿押えカバー９０２が開閉自在に設けられるとともに、その正面に操作パネル９０３が設けられており、該読取載置台９０１のプラテンガラス上に読取面を下にして原稿を載置し、原稿押えカバー９０２を閉じた状態で操作パネル９０３を操作して、読取載置台９０１内のＣＣＤ（Ｃｈａｒｇｅ  Ｃｏｕｐｌｅｄ  Ｄｅｖｉｃｅ）等の画像読取手段により該原稿の画像読取りを行うことができる。このようにして読み取られた画像データは、インタフェースを介してコンピュータに送信されたり、画像記録部により記録用紙に記録されたり、送信部により電送されて、画像読取装置９００がスキャナ、ファクシミリ、複写機等として機能する。また、原稿押えカバー９０２内にオート・ドキュメント・フィーダ（以下、「ＡＤＦ」という。）を装備することにより、原稿トレイ９０４上の原稿を排紙トレイ９０５へ連続的に搬送し、その搬送過程においてプラテンガラス上の画像読取位置を通過する際に、読取載置台９０１内のＣＣＤ等により、該原稿の画像読取りを行うこともできる。このような従来の画像読取装置９００における読取載置台９０１のケーシングは、板金を折曲加工等して形成したものや、装置全体の軽量化等や組付作業の簡略化を目的として、合成樹脂からなる成形品を用いたものがある（特許文献１参照）。
【０００３】
【特許文献１】特開２００１−２３８０１１号公報
【発明の開示】
【発明が解決しようとする課題】
【０００４】
前記画像読取装置９００の使用環境においては、原稿や記録用紙から発生した紙粉やオフィス等の埃等の種々の塵埃が存在するが、前記読取載置台９０１内へ塵埃が侵入すると、ＣＣＤ等の画像読取手段の読取画質に影響を与え、また、装置の電気系統や駆動系統の故障の原因ともなるので、読取載置台９０１のケーシングの接合部分等においては、塵埃が侵入しないような構造となっていることが望まれる。特に、読取載置台９０１内に画像読取手段の冷却目的等でファンを設けた場合には、接合部等の隙間から読取載置台９０１の内部へ気流が生じて塵埃が侵入し易い。また、読取載置台９０１の正面に設けられる操作パネル９０３には、操作キー等を出没させるための穴が多数穿設されており、勿論、該穴と操作キーとの隙間にはゴム等の弾性部材により封止されているが、操作キーを押した際に加わる力で操作キーや弾性部材が若干変形し、該変形により生じた隙間から塵埃が侵入することがあり、同様に、操作パネル９０３の他の隙間からも塵埃が侵入することがある。特に、合成樹脂等を用いて、読取載置台９０１及び操作パネル９０３のケーシングを一体的に成形した場合には、操作パネル９０３内へ侵入した塵埃が読取載置台９０１にまで侵入することが多い。
【０００５】
本発明は、かかる課題を解決すべくなされたものであり、画像読取装置の読取載置台において、塵埃の侵入を防止する手段を提供することを目的とする。
【課題を解決するための手段】
【０００６】
本発明は、プラテンガラスが配設される上面開口部と、該プラテンガラスを通じて画像読取りを行う画像読取手段が収納される収納部と、操作パネル部とを有する読取載置台ケーシングを具備してなる画像読取装置において、前記読取載置台ケーシングは、収納部及び操作パネル部を構成する底板及び側壁が一体的に形成されたボトムシャーシと、収納部を封止する読取載置台カバーと、操作パネル部を封止する操作パネルカバーとを備えてなり、収納部と操作パネル部との境界に沿って防塵壁が形成され、前記読取載置台カバーの操作パネル部側の端部に沿って下方へ突設された凸条とが形成され、前記操作パネルカバーの収納部側の端部に沿って前記凸条と嵌合する凹条が形成されたことを特徴とする。
【０００７】
また、本発明は、前記防塵壁が、前記ボトムシャーシの底板の収納部と操作パネル部との境界に沿って立設された防塵壁下部と、前記読取載置台カバーから下方へ突設された防塵壁上部とが継合することにより形成されたものであることを特徴とする。
【０００８】
また、本発明は、前記読取載置台カバーの防塵壁上部と凸条との間に、読取載置台カバーの天板から防塵壁上部及び凸条の下端より下方にまで至る垂壁が、該防塵壁上部及び凸条に沿って形成されたことを特徴とする。
【発明の効果】
【０００９】
本発明によれば、読取載置台ケーシング内の収納部と操作パネル部との間に防塵壁が形成されて両空間が隔絶されることにより、操作パネル部内から収納部内へ塵埃が侵入することが防止され、更に、読取載置台カバーの凸条と操作パネルカバーの凹条とが嵌合することにより、読取載置台カバーと操作パネルカバーとの継ぎ目から塵埃が侵入することが防止される。
【００１０】
また、垂壁が、読取載置台カバーと操作パネルカバーとの継ぎ目から防塵壁下部と防塵壁上部との継合部分までの空間に介在することにより、読取載置台カバーと操作パネルカバーとの継ぎ目から侵入した塵埃が防塵壁下部と防塵壁上部との継合部分より収納部内に侵入するためには、該垂壁を迂回した経路を採らざるを得ず、収納部への塵埃の侵入を確実に防止することができる。
【発明を実施するための最良の形態】
【００１１】
図１は、本発明の実施の形態に係る画像読取装置１の上部の内部構造を示す図である。本画像読取装置１は、コピー機能とファクシミリ機能とを兼ね備えた複合機であり、図に示すように、読み取るべき原稿を載置するプラテンガラス２０が配設された読取載置台２と、プラテンガラス２０上の原稿を押圧して固定するために読取載置台２に対して開閉可能に設けられた原稿押えカバー３とを具備してなる。また、図には示していないが、画像読取装置１の本体には、記録用紙に画像を記録する画像記録部、画像を電送するための送信部が内蔵されており、該本体下部には、読取画像を記録するための記録用紙を供給する給紙カセットが配設されている。さらに、前記原稿押えカバー３内にはＡＤＦが装備されており、本画像読取装置１は、読取載置台２のプラテンガラス２０上に原稿を載置してフラットベッドスキャナとして画像読取りを行うことと、ＡＤＦを用いて画像読取りを行うことの双方が可能である。なお、本実施の形態における画像読取装置１の構成は一例であり、コピー機能やファクシミリ機能を必ずしも具備する必要はなく、これら周知の構成は一例且つ任意のものである。
【００１２】
図に示すように、読取載置台２内には読取ユニット（画像読取手段）２１が収納されている。該読取ユニット２１は、プラテンガラス２０と平行方向に走査されるフルレートキャリッジ２２及びハーフレートキャリッジ２３と、ＣＣＤユニット２４とを具備してなる。フルレートキャリッジ２２は、キャリッジ本体２２０に、原稿に光を照射するための光源２２１と、原稿からの反射光を走査方向へ反射してハーフレートキャリッジ２３へ導くための反射ミラー２２２とを具備してなり、ハーフレートキャリッジ２３は、キャリッジ本体２３０に、フルレートキャリッジ２２からの反射光をＣＣＤユニット２４へ導く２枚の反射ミラー２３１，２３２を具備してなる。このように構成されたフルレートキャリッジ２２及びハーフレートキャリッジ２３が、図示しないガイドレールにより夫々摺動可能に担持され、ベルト駆動機構やワイヤ駆動機構等の周知の駆動機構により、フルレートキャリッジ２２の走査速度に対して略１／２の速度でハーフレートキャリッジ２３が走査されて、プラテンガラス２０の下方を水平方向に一定の走査距離だけフルレートキャリッジ２２が移動する間に、ハーフレートキャリッジ２３は、その約半分の走査距離だけ移動する。このように構成されたフルレートキャリッジ２２及びハーフレートキャリッジ２３がプラテンガラス２０の下方を原稿と平行に移動して原稿の画像をスキャンし、フルレートキャリッジ２２の光源２２１から原稿に光が照射され、該原稿からの反射光Ｒが反射ミラー２２２により水平方向に反射され、さらに、ハーフレートキャリッジ２３の反射ミラー２３１により鉛直下方へ反射された後、反射ミラー２３２により再び水平方向に反射されることにより、ＣＣＤユニット２４へ導かれるようになっている。ＣＣＤユニット２４は、反射光Ｒを収束する結像レンズや収束光を電気信号に変換するためのイメージセンサ等を具備してなる所謂縮小光学系のＣＣＤユニットであり、該ＣＣＤユニット２４により、原稿からの反射光が電気信号として出力されるようになっており、電気信号に変換された画像は、アナログ／デジタル変換、シェーディング処理等が施された後、プリンタ等の画像記録部により記録用紙に記録され、又はＣＯＤＥＣ等の送信部により電送される。
【００１３】
一方、前記原稿押えカバー３内に装備されたＡＤＦは、原稿トレイ３０に載置された原稿を搬送路へ順次繰り込み、ペーパガイド３１に沿って上方から下方へＵターンするように原稿を反転させて読取位置Ｐに搬送し、該読取位置Ｐを通過する際に読取ユニット２１により原稿の画像が読み取られて、原稿トレイ３０の下方の排紙トレイ３２へ排出するようになっている。
【００１４】
図２及び図３に示すように、前記読取載置台２は、読取載置台ケーシング２５内に前記読取ユニット２１（不図示）が収納され、その上面にプラテンガラス２０が配設されてなり、該読取載置台ケーシング２５は、読取ユニット２１が収納される収納部２５ａ及び操作パネル部２５ｂを構成する底板２６０及び側壁２６１が一体的に形成されたボトムシャーシ２６と、収納部２５ａを封止する読取載置台カバー２７と、操作パネル部２５ｂを封止する操作パネルカバー２８とからなる。収納部２５ａは概ね直方体の筐体をなしており、該収納部２５ａ内には、前記読取ユニット２１の他、モータ等の駆動源及び駆動伝達ユニットや電気系統をなす基盤、配線等も収納可能であり、これらが画像読取装置１においてフラットベッドスキャナとして機能する。一方、操作パネル部２５ｂは読取載置台ケーシング２５の正面側に設けられた筐体であり、上面には操作キーや液晶パネル等が配置され、内部には基盤やスピーカ等が収納可能となっており、このように構成された操作パネルにより、画像読取装置１の画像読取りの開始や読取精度を入力したり、コピー機として用いる際にはコピー枚数等を、ファクシミリ機として用いる際には送信先等を入力することができる。
【００１５】
ボトムシャーシ２６は、収納部２５ａ及び操作パネル部２５ｂを構成する底板２６０及び側壁２６１等が一体的に形成されたものであり、例えば、ＡＢＳやハイインパクトポリスチレン等の合成樹脂からなる成形品である。ボトムシャーシ２６を合成樹脂製のものとすることにより読取載置台２の軽量化を図ることができる。底板２６０は、収納部２５ａの底板となる矩形部分の正面側に操作パネル部２５ｂの底板となる矩形部分が正面方向に突出するように形成された平板状のものであり、側壁２６１は、該底板２６０の周縁から上方に立設されており、その上端には、読取載置台カバー２７及び操作パネルカバー２８と嵌合させるための相欠き２６１ａが形成されている。また、ボトムシャーシ２６の収納部２５ａと操作パネル部２５ｂとの境界部分には、防塵壁下部２６２が形成されている。該防塵壁下部２６２も、底板２６０及び側壁２６１等と一体形成されたものであり、収納部２５ａと操作パネル部２５ｂとの境界に沿って底板２６０から上方へ立設され、その両端は側壁２６１と連続している。また、防塵壁下部２６２の操作パネル部２５ｂ側には操作パネルカバー２８をネジ止めするためのネジ受け部２６３が、防塵壁下部２６２の内側には補強リブ２６４が適宜形成されている。また、ボトムシャーシ２６の各隅部等には、読取載置台カバー２７をネジ止めするためのネジ受け部２６５が形成されており、側壁２６１の内側にも補強リブ２６６が適宜形成されている。
【００１６】
さらにボトムシャーシ２６の背面側には、原稿押えカバー３を開閉可能に取り付けるためのヒンジ部材２９を嵌挿するためのヒンジ部材支持孔２６７が形成されている。ヒンジ部材支持孔２６７も、ボトムシャーシ２６に一体的に形成されており、底板２６０に穿たれた矩形の貫通孔（不図示）の周縁に支持壁２６７ａが立設され、該支持壁２６７ａの周囲には支持力を補強するための補強リブが適宜形成されている。ヒンジ部材２９は、図に示すように、支持柱体２９０の上部にヒンジ部２９１が設けられたものであり、四角柱状の支持柱体２９０がヒンジ部材支持孔２６７に嵌挿されることによりヒンジ部材２９が読取載置台２に固定され、ヒンジ部２９１が原稿押えカバー３にネジ止めされることによりヒンジ部材２９を介して原稿押えカバー３が読取載置台ケーシング２５に開閉自在に固定される。このようなヒンジ支持孔２６７によりヒンジ部材２９を支持させることにより、合成樹脂製のボトムシャーシ２６に過度の負担を与えることなく原稿押えカバー３を開閉自在に固定することができ、また、ヒンジ支持孔２６７はボトムシャーシ２６に一体的に形成することができるので、組付け作業が簡略化されるという利点がある。なお、ボトムシャーシ２６には、更にモータブラケット、ガイドレール等を固定するための嵌合部が適宜形成されており、底板２６０には、補強のための凹凸や電気配線のための貫通孔が適宜形成されているが、これら周知の構成は一例且つ任意のものである。
【００１７】
前記読取載置台カバー２７は、前記ボトムシャーシ２６の収納部２５ａを構成する部分を封止するものであり、ボトムシャーシ２６の底板２６０の収納部２５ａ相当部分と略同形状の矩形の天板２７０に、プラテンガラス２０を配設するための上面開口部２７０ａが形成され、該天板２７０の周縁から下方向に側壁２７１が突設されており、その下端には、前記ボトムシャーシ２６の側壁２６１と嵌合するための相欠き２７１ａが形成されている。このように形成された読取載置台カバー２７がボトムシャーシ２６の蓋となって、読取載置台ケーシング２５の収納部２５ａを構成し、図４に示すように、ボトムシャーシ２６の側壁２６１の相欠き２６１ａと読取載置台カバー２７の側壁２７１の相欠き２７１ａが嵌合して、収納部２５ａを封止する。また、前記上面開口部２７０ａは、プラテンガラス２０が密接することにより、又はゴムパッキン等が介設されて封止状態となる。また、図５に示すように、読取載置台カバー２７の操作パネル部２５ｂ側の端部２７ａ近傍には、ボトムシャーシ２６の防塵壁下部２６２と継合する防塵壁上部２７２が天板２７０から下方へ突設されている。これら天板２７０、側壁２７１、及び防塵壁上部２７２等も、前記ボトムシャーシ２６と同様に一体的に形成されて読取載置台カバー２７をなしている。なお、図４及び図５においては、説明の便宜のため収納部２５ａ及び操作パネル部２５ｂ内に配設される読取ユニット２１や基盤、スピーカ等の構造は省略している。さらに、読取載置台カバー２７の操作パネル部２５ｂ側の端部２７ａは、操作パネル部２５ｂに相当する部分の側壁２７１の一部が切り欠かれることにより、該端部２７ａから下方へ突出した凸条２７３が形成されている。また、前記防塵壁上部２７２と凸条２７３との間には、防塵壁上部２７２に沿って垂壁２７４が形成されている。該垂壁２７４も、天板２７０及び側壁２７１等と一体形成されたものであり、天板２７０から下方へ突設され、その下端は防塵壁上部２７２及び凸条２７３の下端より下方にまで至っている。また、図３に示すように、読取載置台カバー２７の背面側には、前記ヒンジ部材支持孔２６７に対応する貫通孔２７５が形成され、ヒンジ部材２９をヒンジ部材支持孔２６７に嵌挿可能となっている。
【００１８】
前記操作パネルカバー２８は、図３に示すように、前記ボトムシャーシ２６の操作パネル部２５ｂを構成する部分を封止するものであり、ボトムシャーシ２６の底板２６０の操作パネル部２５ｂ相当部分と略同形状の矩形の天板２８０に、操作キーを出没させるための貫通孔２８０ａが適宜穿設され、該天板２８０の周縁から下方向に側壁２８１が突設されており、その下端には、前記ボトムシャーシ２６の側壁２６１と嵌合するための相欠き２８１ａが形成されている。このように形成された操作パネルカバー２８がボトムシャーシ２６の蓋となって、図５に示すように、読取載置台ケーシング２５の操作パネル部２５ｂを構成し、ボトムシャーシ２６の側壁２６１の相欠き２６１ａと操作パネルカバー２８の側壁２８１の相欠き２８１ａが嵌合して、操作パネル部２５ｂを封止する。これら天板２８０及び側壁２８１等も、前記ボトムシャーシ２６と同様に一体的に形成されて操作パネルカバー２７をなしている。また、操作パネルカバー２８の収納部２５ａ側の端部２８ａに沿って、前記読取載置台カバー２７の凸条２７３と嵌合する凹条２８３が天板２８０の上面に形成されている。
【００１９】
つぎに、ボトムシャーシ２６、読取載置台カバー２７、及び操作パネルカバー２８の組付け状態について図５を用いて説明する。
図３に示したように、ボトムシャーシ２６に操作パネルカバー２８が組み付けられ、その上に読取載置台カバー２７が組み付けられることにより、図５に示すように、操作パネルカバー２８の凹条２８３に読取載置台カバー２７の凸条２７３が嵌合され、ボトムシャーシ２６の防塵壁下部２６２と読取載置台カバー２７の防塵壁上部２７２とが継合して防塵壁が形成される。さらに詳細に説明するに、図に示すように、操作パネルカバー２８の凹条２８３と読取載置台カバー２７の凸条２７３とを嵌合することにより、読取載置台ケーシング２５の外側から操作パネルカバー２８と読取載置台カバー２７との継ぎ目を通って操作パネル部２５ｂ内へ侵入するには、塵埃は凸条２７３と凹条２８３の隙間を通過しなければならなくなる。凸条２７３と凹条２８３との嵌合により該隙間は非常に狭く、さらに塵埃が該隙間に侵入したとしても、該隙間の折れ曲がりに応じて凹条２８３の底部から再び上昇しなければ該隙間を通過することができないので、該隙間に侵入した塵埃の殆どは凹条２８３に捕捉されることとなる。このような凸条２７３と凹条２８３との嵌合構造により、読取載置台ケーシング２５の外側から操作パネル部２５ｂ内への塵埃の侵入を防ぐことができる。
【００２０】
また、ボトムシャーシ２６の防塵壁下部２６２と読取載置台カバー２７の防塵壁上部２７２とが継合することにより、収納部２５ａと操作パネル部２５ｂとの間に防塵壁が形成され、該防塵壁が収納部２５ａと操作パネル部２５ｂとの隔壁となって、操作パネル部２５ｂ内から収納部２５ａへ塵埃が侵入することが防止される。したがって、仮に凸条２７３と凹条２８３との隙間を通過して、或いは操作パネルカバー２８の貫通孔２８０ａと操作キーとの間から操作パネル部２５ｂ内に塵埃が侵入したとしても、該防塵壁により収納部２５ａ内にまで塵埃が侵入することがなく、読取ユニット２１の光学系等に影響を与えることがない。ここで、防塵壁下部２６２と防塵壁上部２７２との継合は、図に示すように、防塵壁下部２６２の上端に形成された相欠き２６２ａと、防塵壁上部２７２の下端に形成された相欠き２７２ａとが嵌合するものであり、仮に継合部の隙間に塵埃が侵入したとしても、前述と同様に、該隙間の折れ曲がりに応じて移動しなければ隙間を通過することができないので、塵埃が相欠き２６２ａを超えて収納部２５ａにまで至ることは殆どない。勿論、防塵壁下部２６２と防塵壁上部２７２との継合構造は前記相欠き２６２ａ，２７２ａに限定されるものではなく、例えば、凸部と凹部とによる嵌合等の他の継合構造を採用することができ、その際に防護壁下部２６２の上端に凹部を、防護壁上部２７２の下端に凸部を形成すれば、前述と同様に、該凹部により塵埃が捕捉されるので好ましい態様である。
【００２１】
また、垂壁２７４が、前記凸条２７３と凹条２８３との嵌合部と、防塵壁下部２６２と防塵壁上部２７２との継合部と間の空間に介在し、垂壁２７４の下端は前記嵌合部及び継合部よりも下方にまで延出されているので、仮に凸条２７３と凹条２８３との隙間を塵埃が通過しても、その後、防塵壁下部２６２と防塵壁上部２７２との継合部に至るには、塵埃は一旦降下した後再び上昇して垂壁２７４を迂回せねばならず、収納部２５ａ内に冷却ファン等が存在して気流が生じている場合であっても、垂壁２７４により該気流が妨げられ、塵埃の大半は防塵壁下部２６２と防塵壁上部２７２との継合部にまで至らずに底板２６０へ自然落下する。同様に、操作パネルカバー２８の貫通孔２８０ａと操作キー２８４との間から操作パネル部２５ｂ内に侵入した塵埃も、垂壁２７４を迂回せねばならず、その大半は底板２６０へ自然落下する。このような垂壁２７４を設けることにより、操作パネル部２５ｂから収納部２５ａへの塵埃の侵入を確実に防止することができる。勿論、垂壁２７４を設けなくとも、操作パネルカバー２８の凹条２８３と読取載置台カバー２７の凸条２７３との嵌合、及びボトムシャーシ２６の防塵壁下部２６２と読取載置台カバー２７の防塵壁上部２７２とが継合して形成される防塵壁により、収納部２５ａへの塵埃の侵入を防止することができるが、垂壁２７４を設けることとすれば塵埃の侵入が重畳的に防止されるのでより好ましい。
【００２２】
なお、本実施の形態に係る画像読取装置１においては、収納部２５ａと操作パネル部２５ｂとの境界に沿って形成される防塵壁を、ボトムシャーシ２６の防塵壁下部２６２と読取載置台カバー２７の防塵壁上部２７２とが継合することにより形成したが、本発明に係る防塵壁は上下に分離して継合されるものに限定されず、例えば図６に示すように、ボトムシャーシ２６に防塵壁２６８を一体として立設してもよい。詳細には、該防塵壁２６８は、ボトムシャーシ２６の収納部２５ａと操作パネル部２５ｂとの境界部分に、底板２６０と一体的に形成されており、その上端は読取載置台カバー２７の天板２７０に達する。一方、天板２７０には、該防塵壁２６８に対応する嵌合凹部２７６が形成されており、防塵壁２６８の上端が嵌合凹部２７６に嵌合することにより、収納部２５ａと操作パネル部２５ｂとが隔たれ、操作パネル部２５ｂ内から収納部２５ａへ塵埃が侵入することが防止される。勿論、防塵壁２６８を読取載置台カバー２７の天板２７０から突設させ、ボトムシャーシ２６の底板２６０に嵌合凹部２７６を設ける構成とすることもできる。
【産業上の利用可能性】
【００２３】
本発明は、画像読取手段を収納する収納部と操作パネル部とを有する読取載置台を備えたスキャナ、ファクシミリ、複写機等において利用することが可能である。
【図面の簡単な説明】
【００２４】
【図１】本実施の形態に係る画像読取装置１の上部の内部構成を示す断面図である。
【図２】読取載置台２の外観構成を示す斜視図である。
【図３】読取載置台ケーシング２５の構成を示す分解斜視図である。
【図４】ボトムシャーシ２６と読取載置台カバー２７の封止状態を示すＡ−Ａ断面図である。
【図５】ボトムシャーシ２６と読取載置台カバー２７と操作パネルカバー２８の組付けを示すＢ−Ｂ断面図である。
【図６】防塵壁の変形例を示す断面図である。
【図７】従来の画像読取装置９００の構成を示す概略斜視図である。
【符号の説明】
【００２５】
１  画像読取装置
２  読取載置台
２０  プラテンガラス
２１  読取ユニット（画像読取手段）
２５  読取載置台ケーシング
２５ａ  収納部
２５ｂ  操作パネル部
２６  ボトムシャーシ
２７  読取載置台カバー
２８  操作パネルカバー
２６０  底板
２６１  側壁
２６２  防塵壁下部
２６８  防塵壁
２７０  天板
２７０ａ  上面開口部
２７２  防塵壁上部
２７３  凸条
２７４  垂壁
２８３  凹条
【図１】
2005057534.tif 000003
【図２】
2005057534.tif 000004
【図３】
2005057534.tif 000005
【図４】
2005057534.tif 000006
【図５】
2005057534.tif 000007
【図６】
2005057534.tif 000008
【図７】
2005057534.tif 000009